(57)【要約】【課題】  漉き装置の構成を簡素化、小型化、軽量化することにより、漉き装置を各地に貸し出す場合などに、漉き装置を容易に運搬、設置可能とすること。【解決手段】  漉き槽２０の開口部に漉き枠９０が保持され、漉き枠９０および漉き枠９０上に供給される漉き用液が前後及び左右方向へ傾斜されるとともに、漉き枠９０及び漉き用液に対して吸引作用を及ぼして漉き用液を漉き枠９０に通過させる漉き装置において、漉き槽２０の対向する一対の側部を揺動自在に支持させ、かつ、前記一対の側部が上下動されるように支持させ、漉き槽２０の側部と共に揺動される受け部材５５に対して制止部材５１を係合又は離脱させることにより前記漉き槽２０の揺動を制止又は可能にする。【選択図】  図５ 
2005097794.tif 000002
【特許請求の範囲】
【請求項１】
漉き槽（２０）の開口部に漉き枠（９０）が保持され、漉き枠（９０）および漉き枠（９０）上に供給される漉き用液が前後及び左右方向へ傾斜されるとともに、漉き枠（９０）及び漉き用液に対して吸引作用を及ぼして漉き用液を漉き枠（９０）に通過させる漉き装置において、
漉き槽（２０）の側部のうち対向する一対の側部が揺動自在に支持され、かつ、前記一対の側部のうち少なくとも一方が上下動されるように支持されているとともに、漉き槽（２０）の側部と共に揺動される受け部材（５５）に対して、または漉き槽（２０）の側部に対して制止部材（５１）を係合又は離脱させることにより前記漉き槽（２０）の揺動を制止又は可能にすることを特徴とする漉き装置。
【請求項２】
一対の軸受けが対向して設置され、漉き槽（２０）の側部のうち対向する一対の側部がそれぞれ各軸受けに支持されるとともに、
前記軸受けの少なくとも一方が上下動手段に連結されており、制止部には、前記いずれかの軸受けに対して一定の高さに設けられる制止部材（５１）と、漉き槽（２０）の側部と共に揺動される受け部材（５５）とが互いに対峙するように設けられており、制止部材（５１）と受け部材（５５）とが係合又は離脱されることを特徴とする請求項１に記載の漉き装置。
【請求項３】
漉き槽（２０）の側部のうち対向する一対の側部がそれぞれ側縁部材を介在させて支持されるとともに、漉き槽（２０）の側部と側縁部材とが着脱自在に連結されることを特徴とする請求項１から２のいずれか１項に記載の漉き装置。
【請求項４】
対向して設置された第１支持部（３０）と第２支持部（３１）とにそれぞれ上下動手段が設けられ、各上下動手段にそれぞれ軸受けが連結されており、漉き槽（２０）の側部のうち対向する一対の側部がそれぞれ前記軸受けに支持されることを特徴とする請求項１から３のいずれか１項に記載の漉き装置。
【請求項５】
紙用繊維、粘着材、イオン水等の原料から調製された漉き用液を貯留及び攪拌させる貯留槽（１１）と、貯留槽（１１）から漉き枠（９０）へ漉き用液を供給させる供給手段（１５）とを有する供給装置（２）と、
漉き槽（２０）の開口部に漉き枠（９０）を保持させ、漉き枠（９０）を前後及び左右方向へ傾斜させる漉き動作装置（３）と、
漉き槽（２０）の内部空間に着脱自在に連結されて内部空間内に吸引作用を及ぼす吸引装置（４）とを備えていることを特徴とする請求項１から４のいずれか１項に記載の漉き装置。
【請求項６】
下部に流出口（８３）が形成され、該流出口（８３）に着脱自在の開閉部材（８４）を有するとともに、漉き槽（２０）の上方に架設される流し込み容器（８１）を備えたことを特徴とする請求項１から５のいずれか１項に記載の漉き装置。
【発明の詳細な説明】
【技術分野】
【０００１】
本発明は、和紙製あるいは洋紙製の古文書、絵図、経本、巻物、ポスター、書画等（以下、「紙製書画等」という）の毀損部分の修復だけでなく、和紙または洋紙を漉くことができ、さらに紙製書画等や布製の書画等その他の薄手の物品に表装を施すことができる漉き装置に関する。
【背景技術】
【０００２】
紙製書画等には、虫食い孔、破れ孔、ひび割れ、老化脆弱化による孔などの毀損部分が生じている場合がある。このような毀損部分の修復は、先人たちが残した貴重な紙製書画等を歴史的、美術的、宗教的、実用的な感動と感触を後世に残すことを目的とするものである。紙製書画等を修復する必要性は国内はもとより世界各国においても極めて高いものである。
【０００３】
紙製書画等の毀損部分の修復手段として「漉き填め」と呼ばれる修復手段が用いられている。漉き填め手段は漉き枠の中に漉き簾及び漉きシート状材を重ね、その上に修復対象である紙製書画等を重ねたのち、毀損部分に漉き用液を通り抜けさせて、漉き用液中の紙用繊維を毀損部分に残して充填する手段である（例えば、特許文献１参照。）。漉き填め手段では漉き動作が行われ、漉き動作は、漉き槽に準備された漉き用液に漉き枠を浸漬させてから漉き枠を前後左右に傾斜させたり、沈下浮上を繰り返したりし、毀損部分に漉き用液を通り抜けさせる動作である。
【０００４】
漉き填め手段における漉き動作は、毀損部分に漉き用液を通り抜けさせる工程の動作であるが、漉き填め手段を人手で行う場合は、毀損部分に漉き用液を強制的に通り抜けさせることができない。また、毀損部分に紙用繊維が充填されるに従って漉き用液が通り抜けにくくなる。このため人手による漉き填め手段は作業効率が低いという問題があった。
【０００５】
このため本願発明者は、漉き填め手段の作業効率を向上させるため、すでに漉き填め手段を行うための修復装置を開発している（特許文献２参照。）。この修復装置によれば、漉き動作手段によって自動で漉き動作が行われるだけでなく、吸引手段によって毀損部分に漉き用液を強制的に通り抜けさせることができる。また、漉き用液を調製する手段や漉き槽に漉き用液を供給する手段が設けられており、漉き填め手段のほぼ全ての工程を自動化させることができ、漉き填め手段の作業効率を著しく向上させている。
【０００６】
一方、本願発明者は、上記修復装置と略同様の構成を有する紙漉き装置を開発している（特許文献３参照。）。この紙漉き装置によって和紙や洋紙の紙漉きを行なうと、一般に工業製品として大量生産される均一な和紙や洋紙とは異なり、漉き模様、紙の厚さ、風合いなどを１枚ずつ変化させることができる。そのため、この和紙や洋紙は美術品や室内のインテリア、生活雑貨の材料などとして用いられており、愛好者も多い。また、この紙漉き装置では紙漉きのほぼ全ての工程を自動化させることができ、紙漉きの作業効率を著しく向上させている。
【特許文献１】特開平１０−１９３８９９号公報
【特許文献２】特開２００３−１４６０００号公報
【特許文献３】特開２００３−１５５６８６号公報
【発明の開示】
【発明が解決しようとする課題】
【０００７】
ところで、紙製書画等の修復については、修復を必要とする紙製書画等は日本国内だけでなく世界各国に遍く存在しているのであるが、日本国内だけでも各美術館、図書館、資料館から社寺仏閣等の宗教施設、個人の家宅に至るまで様々な保管場所に紙製書画等は存在する。しかし、紙製書画等の貴重性、数量や規模、保存状態の良否、宗教的理由、秘密保持の必要性などの理由から修復を必要とする紙製書画等を移動させることが出来ない場合がある。このような場合には、紙製書画等の所在する場所に修復装置を貸し出すなどして、一定期間その場所に設置して修復することが望まれている。
【０００８】
一方、和紙や洋紙の紙漉きについては、紙漉き装置をある場所に固定して紙漉きを行なうだけでなく、地方自治体による事業やイベントあるいは紙漉き教室、個人事業などを目的として全国各地に紙漉き装置を貸し出すなどして、一定期間その場所に設置して紙漉きを行ないたいとの要望がある。
【０００９】
また、修復された紙製書画等の他、新規に創作された紙製書画等や布製の書画等その他の薄手の物品に表装を施したり、前記表装に更に裏打ち材を取付けて巻物、掛物、書画帖、屏風、襖などに作り上げたりする場合がある。例えば図１７に示すように、掛物では紙製の部材の上に紙製書画等が重着されている。表装は紙製書画等の周りを縁取るようにされる紙製の部材であり、裏打ち材は表装に取付けて表装を補強する部材である。従って、表装を施す場合は紙製書画等の裏面、あるいは周囲のみに紙を漉く必要があり、通常の紙漉きと若干異なる技法が用いられる。
【００１０】
しかし、上記従来の修復装置及び紙漉き装置では、一連の工程を自動化させるため、少なくとも漉き用液調製手段、漉き用液流し込み手段、漉き動作手段、吸引手段が設けられている。構成部分が多いため、規模が大きく重量も重い。そのため修復装置や紙漉き装置を貸し出す場合などに、これらを運搬し、設置することは困難であるという問題がある。
【００１１】
また、上記従来の修復装置及び紙漉き装置では、各工程を自動化させ、構成部分を駆動させるためのモータやコンプレッサ等の駆動装置が多用されており、構造が複雑である。そのため修復装置や紙漉き装置を貸し出す場合などに、これらを分解して運搬し、その場所で組み立てることは困難であるという問題がある。
【００１２】
また、紙製書画等の修復と、和紙または洋紙の紙漉きの両方を行なう必要が生じる場合もあるが、修復装置と紙漉き装置の両方を設置することは困難という問題もある。
【００１３】
また、上記従来の修復装置及び紙漉き装置では、一連の工程が連続して自動で行なわれるため、手作業のような微調節ができず紙製書画等の修復、和紙あるいは洋紙の漉きにおいて、手作業のような微妙な技法を用いることができない。また、通常の紙漉きと異なる技法を用いることもできず、上記従来の修復装置及び紙漉き装置では、修復された紙製書画等の他、新規に創作された紙製書画等や布製の書画等その他の薄手の物品に表装を施すことはできなかった。
【００１４】
本発明は、前記の問題点に鑑みてなされたものであって、第１の目的は、漉き装置の構成を簡素化、小型化、軽量化することであり、漉き装置を各地に貸し出す場合などに、漉き装置を容易に運搬、設置可能とすることである。
【００１５】
また第２の目的は、漉き装置の分解、運搬、組み立てを容易にすることであり、漉き装置を各地に貸し出す場合などに、漉き装置を容易に分解、運搬、組み立て可能とすることである。
【００１６】
第３の目的は、漉き装置により紙製書画等の修復と、和紙または洋紙の紙漉きの両方を可能とすることである。
【００１７】
第４の目的は、漉き装置によって、手作業のような微妙な技法を用いることができるようにすることであり、通常の紙漉きと異なる技法を用いることをも可能として、修復された紙製書画等の他、新規に創作された紙製書画等や布製の書画等その他の薄手の物品に表装を施すことができるようにすることである。
【課題を解決するための手段】
【００１８】
前記目的を達成するため、請求項１に記載の発明では漉き装置は、漉き槽の開口部に漉き枠が保持され、漉き枠および漉き枠上に供給される漉き用液が前後及び左右方向へ傾斜されるとともに、漉き枠及び漉き用液に対して吸引作用を及ぼして漉き用液を漉き枠に通過させる漉き装置を前提とし、
漉き槽の側部のうち対向する一対の側部が揺動自在に支持され、かつ、前記一対の側部のうち少なくとも一方が上下動されるように支持されている。漉き槽の側部と共に揺動される受け部材に対して、または漉き槽の側部に対して制止部材を係合又は離脱させることにより前記漉き槽の揺動を制止又は可能にする。
【００１９】
請求項２に記載の発明では漉き装置は、請求項１に記載の漉き装置において、一対の軸受けが対向して設置され、漉き槽の側部のうち対向する一対の側部がそれぞれ各軸受けに支持されるとともに、
前記軸受けの少なくとも一方が上下動手段に連結されており、制止部には、前記いずれかの軸受けに対して一定の高さに設けられる制止部材と、漉き槽の側部と共に揺動される受け部材とが互いに対峙するように設けられており、制止部材と受け部材とが係合又は離脱される。
【００２０】
請求項３に記載の発明では、請求項１から２のいずれか１項に記載の漉き装置において、漉き槽の側部のうち対向する一対の側部がそれぞれ側縁部材を介在させて支持されるとともに、漉き槽の側部と側縁部材とが着脱自在に連結される。
【００２１】
請求項４に記載の発明では、請求項１から３のいずれか１項に記載の漉き装置において、対向して設置された第１支持部と第２支持部とにそれぞれ上下動手段が設けられ、各上下動手段にそれぞれ軸受けが連結されており、漉き槽の側部のうち対向する一対の側部がそれぞれ前記軸受けに支持される。
【００２２】
請求項５に記載の発明では、請求項１から４のいずれか１項に記載の漉き装置において、紙用繊維、粘着材、イオン水等の原料から調製された漉き用液を貯留及び攪拌させる貯留槽と、貯留槽から漉き枠へ漉き用液を供給させる供給手段とを有する供給装置と、
漉き槽の開口部に漉き枠を保持させ、漉き枠を前後及び左右方向へ傾斜させる漉き動作装置と、
漉き槽の内部空間に着脱自在に連結されて内部空間内に吸引作用を及ぼす吸引装置とを備える。
【００２３】
請求項６に記載の発明では、請求項１から５のいずれか１項に記載の漉き装置において、下部に流出口が形成され、該流出口に着脱自在の開閉部材を有するとともに、漉き槽の上方に架設される流し込み容器を備える。
【００２４】
従って、請求項１に記載の発明では、漉き装置は、漉き槽の側部のうち対向する一対の側部が揺動自在に支持されているため、漉き槽を手動で操作することにより、支持部分を中心として漉き槽を傾斜させることができる。また、前記一対の側部のうち少なくとも一方が上下動されるように支持されているため、上下動手段により支持部分を上下させるように漉き槽を傾斜させることができる。従って、漉き槽を前後左右に傾斜させて漉き動作をさせることができる。
また、前記漉き槽の側部と共に揺動される受け部材、または漉き槽の側部に対して制止部材を係合させた場合は漉き槽の揺動が制止されるため傾斜させることができない状態となり、制止部材を離脱させた場合は漉き槽の揺動が可能となるため傾斜させることが可能となる。
【００２５】
請求項２に記載の発明では漉き装置は、請求項１に記載の漉き装置において、一対の軸受けが対向して設置され、漉き槽の側部のうち対向する一対の側部がそれぞれ各軸受けに支持されているため、漉き槽を手動で操作することにより、軸受けを中心として漉き槽を傾斜させることができる。また、前記軸受けの少なくとも一方が上下動手段に連結されているため、上下動手段により軸受けを上下させるように漉き槽を傾斜させることができる。従って、漉き槽を前後左右に傾斜させて漉き動作をさせることができる。
制止部には、前記いずれかの軸受けに対して一定の高さに設けられる制止部材と、漉き槽の側部と共に揺動される受け部材とが互いに対峙するように設けられており、制止部材と受け部材とが係合又は離脱される。従って、制止部材が前記受け部材に係合すると軸受けを中心軸とする軸受け回りの漉き槽の傾斜が制止される。制止部材が前記受け部材から離脱すると、軸受けを中心軸とする軸受け回りの漉き槽の傾斜が可能な状態に解除される。
【００２６】
請求項３に記載の発明では、請求項１から２のいずれか１項に記載の漉き装置において、漉き槽の側部のうち対向する一対の側部がそれぞれ側縁部材を介在させて支持されるとともに、漉き槽の側部と側縁部材とが着脱自在に連結される。このため、漉き槽の側部と側縁部材とを脱着すると漉き装置１から漉き槽が分離される。
【００２７】
請求項４に記載の発明では、請求項１から３のいずれか１項に記載の漉き装置において、対向して設置された第１支持部と第２支持部とにそれぞれ上下動手段が設けられ、各上下動手段にそれぞれ軸受けが連結されている。漉き槽の側部のうち対向する一対の側部がそれぞれ前記軸受けに支持される。このため、漉き槽の側部と軸受けとが脱着されると、第１支持部、第２支持部、漉き槽がそれぞれ分離される。
【００２８】
請求項５に記載の発明では、請求項１から４のいずれか１項に記載の漉き装置において、貯留槽及び供給手段を有する供給装置と、漉き動作装置と、吸引装置とがそれぞれ備えられる。
【００２９】
請求項６に記載の発明では、請求項１から５のいずれか１項に記載の発明において、漉き槽の上方に流し込み容器が架設され、流し込み容器の流出口が開閉部材で閉塞された状態において、流し込み容器に漉き用液が貯留される。流出口を開放すると漉き用液が漉き容器に供給される。
【発明の効果】
【００３０】
従って、請求項１項から６項に記載の発明によれば、簡素化、小型化、軽量化した構造を用いて漉き槽を前後左右に傾斜させて漉き動作をさせることができるため、漉き装置の構造が簡素化、小型化、軽量化される。従って、漉き装置を各地に貸し出す場合などに、漉き装置を容易に運搬、設置することができる。
【００３１】
請求項３項から６項に記載の発明によれば、漉き槽の側部のうち対向する一対の側部はそれぞれ前記側縁部材と着脱自在に連結されており、漉き槽の側部と側縁部材とが脱着されると、軸受けと漉き槽とがそれぞれ分離される。従って漉き装置を各地に貸し出す場合などに、漉き装置を容易に分解、運搬、組み立てすることができる。
【００３２】
請求項１項から６項に記載の発明によれば、漉き槽の開口部に漉き枠を保持し、漉き枠および漉き枠上に漉き用液を供給し、漉き枠及び漉き用液に対して吸引作用を及ぼして漉き用液を漉き枠に通過させるとともに、手動の操作及び上下動手段を用いて漉き槽を前後左右に傾斜させて漉き動作をさせることができるため、紙製書画等の修復と、和紙または洋紙の紙漉きの両方が可能である。
【００３３】
請求項１項から６項に記載の発明によれば、手動の操作及び上下動手段を用いて漉き槽を前後左右に傾斜させて漉き動作をさせるため、手作業に近い微妙な技法を用いることができる。従って、紙製書画等の修復や和紙あるいは洋紙の漉きにおいて、手作業に近い微妙な技法を用いることができる。また、通常の紙漉きと異なる技法を用いることもできるため、修復された紙製書画等の他、新規に創作された紙製書画等や布製の書画等その他の薄手の物品に表装を施すことができる。
【００３４】
請求項６に記載の発明によれば、流し込み容器は簡素な構造であり、漉き装置の構造が簡素化、小型化、軽量化される。従って、漉き装置を各地に貸し出す場合などに、漉き装置を容易に運搬、設置することができる。
【発明を実施するための最良の形態】
【００３５】
本発明を具体化した実施例１について説明する。本発明の実施例に係る漉き装置１は、供給装置２と漉き動作装置３及び吸引装置４とを有する。図５に示す漉き動作装置３において、作業者は前枠部材２３の前に位置して作業を行う。以下の説明では作業者から見た左右を漉き動作装置３の左右とし、作業者から見た手前側（前枠部材２３側）を漉き動作装置３の前部とし、作業者から見た奥側（後枠部材２４側）を漉き動作装置３の後部とする。
【実施例１】
【００３６】
本発明を具体化した実施例１について図１から図１７に従って説明する。まず供給装置２について説明する。図１に示すように、供給装置２は貯留槽１１と供給手段１５とを有する。前記貯留槽１１は漉き用液を貯留する容器である。容量は約３００リットルである。漉き用液の濃度、比重、ｐＨなどの性質を計測し、所定の性質を管理するため、濃度計、比重計、ｐＨ計を設けてもよい。
【００３７】
図２に示すように、貯留槽１１には攪拌部１２が設けられる。攪拌部１２は貯留槽１１に貯留された漉き用液が均一になるように攪拌する。漉き用液の原料には比重の異なるものが混在しており、重いものが沈澱しやすいため、攪拌部１２は貯留槽１１の底部付近を充分に攪拌できることが好ましい。本実施例では、攪拌用モータ１３を貯留槽１１の上部に設け、軸に複数枚の羽根１４を放射状に設けるとともに、羽根１４を貯留槽１１の底部付近で回転させる。
【００３８】
前記供給手段１５は、貯留槽１１から漉き枠９０へ漉き用液を供給させるものである。供給手段１５は、供給用ポンプ１６、供給用管１７、流し込み用ノズル１８、流し込み容器８１を有する。前記供給用ポンプ１６は、図２に示すように、貯留槽１１から漉き槽２０に至る供給用管１７の途中に連結される。供給用管１７の先端には、図３に示すように、流し込み用ノズル１８が装着される。流し込み用ノズル１８の先端には流し込み用孔１９が形成されており、漉き用液の流量を抑える。流し込み用ノズル１８を装着して漉き用液の流量を抑えることにより、漉き槽２０に漉き用液を静かに供給することができる。
【００３９】
流し込み容器８１は、漉き用液が漉き枠９０上に供給される際に用いられるものである。図４に示すように、流し込み容器８１は漉き槽２０の上に架設できる長さを有する。断面形状は略Ｖ字形状である。流し込み容器８１の内部は隔壁８２によって等間隔に区分けされる。流し込み容器８１の底部にはスリット状の流出口８３が形成される。隔壁８２によって区分けされた部分毎に流出口８３が形成される。各流出口８３には開閉部材８４がそれぞれ着脱自在に装着される。開閉部材８４を流出口８３に装着すると流出口８３を閉塞させ、脱着すると流出口８３を開放させる。開閉部材８４は流出口８３と同様の長さを有し、断面は楔形状である。
【００４０】
流し込み容器８１は、漉き枠９０上の紙製書画等Ｐあるいは漉きシート状材９３に接近させて漉き槽２０に架設されることが好ましく、紙製書画等Ｐあるいは漉きシート状材９３から流出口８３までの間隔は１０ｍｍ乃至５０ｍｍ程度とされることが好ましい。この場合、漉き用液を静かに均一に供給することができる。
【００４１】
次に漉き動作装置３について説明する。漉き動作装置３は、漉き槽２０、支持部、上下動手段、軸受け、側縁部材、制止部を有する。まず、漉き槽２０は漉き枠９０と漉き用液とを保持し、紙製書画等Ｐの修復及び紙漉きを行う部分である。図５に示すように、漉き槽２０の側部は左枠部材２１、右枠部材２２、前枠部材２３、後枠部材２４で構成され、長方形の開口部が形成されている。漉き槽２０の外形寸法は左右の寸法が１７２０ｍｍ、前後の寸法が１１２０ｍｍである。この寸法は通常の大きさの掛け軸を２幅同時に載置することができる寸法である。漉き槽２０の開口部の内側には、漉き枠９０を支持するための漉き枠受け２５が形成される。漉き槽２０の底部は漉き枠９０を通過した漉き用液を受ける部分である。漉き槽２０の前後方向の中央部が最も深く、漉き用液が流れ落ちて集まるように断面形状は略Ｖ字形状に形成されている。深さは２５０ｍｍである。漉き槽２０の最も深い部分には漉き槽２０を貫通する吸引口２６が形成される。吸引口２６は筒状に形成されており、後記吸引装置４の吸引用管を被嵌させて着脱自在に連結される。
【００４２】
前記漉き槽２０の左枠部材２１と右枠部材２２とは対向する位置関係にあり、後記側縁部材と係止させるための係止爪２７がそれぞれ形成される。図６に示すように、係止爪２７は左枠部材２１と右枠部材２２のそれぞれの外側に張り出すように形成される。係止爪２７の断面形状は下向きの鉤形状とされる。
【００４３】
次に、前記支持部は、図５に示すように、第１支持部３０、第２支持部３１及び支持部連結体３２とを有する。第１支持部３０と第２支持部３１とで前記漉き槽２０が支持される。第１支持部３０は漉き槽２０の左側に配置され、第２支持部３１は漉き槽２０の右側に配置される。図７に示すように、第１支持部３０と第２支持部３１には連結用孔３３がそれぞれ形成される。
【００４４】
前記支持部連結体３２は、第１支持部３０と第２支持部３１とを連結して、第１支持部３０と第２支持部３１との間隔を一定に保持するものである。図７に示すように、支持部連結体３２の形状は枠形状である。支持部連結体３２の左右端には前記連結用孔３３に係合する連結用爪３４が形成されている。連結用爪３４の断面形状は下向きの鉤形状とされる。前記連結用孔３３と連結用爪３４とが係合されて第１支持部３０及び第２支持部３１と支持部連結体３２とは着脱自在に連結される。
【００４５】
前記上下動手段としての左側エアシリンダ４０は前記第１支持部３０に立設され、上下動手段としての右側エアシリンダ４１は前記第２支持部３１に立設される（図５及び図１２参照）。左側エアシリンダ４０と右側エアシリンダ４１のピストンロッド４２は垂直方向に上下される。左側エアシリンダ４０と右側エアシリンダ４１は、前記漉き槽２０を支持するとともに、漉き槽２０を左右に傾斜させる。ピストンロッド４２のストロークは漉き槽２０の傾斜角度に影響するため、傾斜角度に応じて選定される。本実施例ではピストンロッド４２の作動するストロークは０ｍｍから１５０ｍｍの範囲内である。
【００４６】
また、左側エアシリンダ４０及び右側エアシリンダ４１にはピストンロッド４２が上下する速度を速めたり遅くさせるためのスピードコントロールバルブが装着される（図示省略）。スピードコントロールバルブを調節することにより漉き槽２０を速く傾斜させたり、遅く傾斜させることができる。
【００４７】
前記左側エアシリンダ４０と右側エアシリンダ４１の下には、それぞれ高さ調節手段を介在させる。例えば高さ調節手段としてジャッキ４３を介在させる。
【００４８】
前記軸受けとしてのボール軸受け４４は、連結される部材が相互に首振りが可能であるとともに、軸回りの回動あるいは揺動が可能である。図８に示すように、左側エアシリンダ４０のピストンロッド４２には軸受けとしてのボール軸受け４４が連結される。ピストンロッド４２の先端にボール軸受け４４の一端が連結される。ボール軸受け４４はピストンロッド４２とともに垂直方向に上下動される。ボール軸受け４４の他端には左支持軸４５が連結される。左支持軸４５はピストンロッド４２に対して略垂直、すなわち略水平方向に連結される。左支持軸４５はピストンロッド４２に対して首振りをさせることができ、またピストンロッド４２に対して揺動させることができる。
【００４９】
右側エアシリンダ４１のピストンロッド４２にも左側エアシリンダ４０と同様に軸受けとしてのボール軸受け４４が連結される。図５及び図１２に示すように、ピストンロッド４２の先端にボール軸受け４４の一端が連結される。ボール軸受け４４はピストンロッド４２とともに垂直方向に上下動される。ボール軸受け４４の他端には右支持軸４６が連結される。右支持軸４６はピストンロッド４２に対して略垂直、すなわち略水平方向に連結される。右支持軸４６はピストンロッド４２に対して首振りをさせることができ、またピストンロッド４２に対して揺動させることができる。
【００５０】
前記側縁部材は、漉き槽２０の側部と軸受けとの間に介在されるものである。図５に示すように、側縁部材としての左側縁部材６０には左支持軸４５の他端が固定される。左支持軸４５は左側縁部材６０の外側であって前後方向の略中央部に固定される。左支持軸４５はボール軸受け４４に連結されているため、左側縁部材６０は左支持軸４５を中心軸として前後方向に揺動可能である。また、側縁部材としての右側縁部材６１には、右支持軸４６が固着される。右支持軸４６はボール軸受け４４に連結されているため、右側縁部材６１は右支持軸４６を中心軸として前後方向に揺動される。右支持軸４６は、右側縁部材６１の外側であって前後方向の略中央部に固定される。右側縁部材６１は右支持軸４６を中心軸として前後方向に揺動可能である。
【００５１】
図６に示すように、前記側縁部材としての左側縁部材６０と右側縁部材６１には係止孔６２が形成される。係止孔６２は左側縁部材６０と右側縁部材６１の上面に形成される。図５に示すように、左側縁部材６０と右側縁部材６１には漉き槽２０が係止される。左側縁部材６０に形成された係止孔６２には左枠部材２１に形成された係止爪２７が係止され、右側縁部材６１に形成された係止孔６２には右枠部材２２に形成された係止爪２７が係止される。
【００５２】
前記漉き槽２０は左支持軸４５と右支持軸４６を中心として前後の重量の釣り合いが取られるようにされる。前後の重量の釣り合いが取られていない場合は漉き槽２０に錘２８等を装着して前後の釣り合いが取られる。例えば、漉き槽２０の前側が重く、漉き槽２０の前後の重量の釣り合いが取られていない場合には、図５に示すように、錘２８を後枠部材２４に装着して前後の釣り合いが取られる。
【００５３】
前記制止部は、制止部材５１と受け部材５５、これらを支持する制止支持台５０を有する。図８に示すように、前記左側エアシリンダ４０のピストンロッド４２の上部であって前記ボール軸受け４４の下側に制止支持台５０が設けられる。制止支持台５０はボール軸受け４４と共に第１支持部３０に対して垂直方向に上下動される。制止支持台５０はピストンロッド４２に対して揺動されない。
【００５４】
前記制止部材５１は前記受け部材５５と係合、離脱される部分である。制止部材５１は円柱状の部材である。制止部材５１は制止支持台５０に設けられる。制止部材５１は前記ボール軸受け４４から離隔した後側の位置に設けられる。制止部材５１は前記左支持軸４５と略平行に設けられる。案内部材５２は制止部材５１の先端部が進退自在となるように制止部材５１を案内する。制止部材５１の後端部には梃部材５３の一端が制止部材５１に対して揺動自在となるように連結される。梃部材５３の他端は制止部材５１の軸線から離れた位置で揺動自在に支持される。梃部材５３の中間部において、制止部材５１の軸線と略平行にストッパ用駆動装置としての制止部用エアシリンダ５４と連結される。
【００５５】
前記受け部材５５は、制止部材５１と係合、離脱される部分である。受け部材５５は前記制止部材５１と対峙する位置に形成される。図８に示すように、受け部材５５は左支持軸４５から離れた位置であって、左側縁部材６０の後側に形成される。受け部材５５には制止部材５１と係合される凹部５６と、制止部材５１を凹部５６に案内して係合させる、すり鉢形状の斜面からなる案内面５７とが形成される。案内面５７は受け部材５５と凹部５６とがズレて接近した場合でも、制止部材５１の先端が当接すれば制止部材５１を凹部５６に案内する。
【００５６】
また、左側縁部材６０には操作部６３が設けられる。図６に示すように、操作部６３は左側縁部材６０の前側に設けられる。操作部６３には把持部６４が前側に突出するように形成される。
【００５７】
上下動手段としての左側エアシリンダ４０と右側エアシリンダ４１の駆動は、空気圧源としてのエアコンプレッサ６７により行われる。エアコンプレッサ６７は第１支持部３０の後側に設置される（図示省略）。
【００５８】
上下動操作弁６５はエア流路の切り替えを行うことによって左側エアシリンダ４０と右側エアシリンダ４１の上昇、下降の方向切り替えを行うものである。図５に示すように、上下動操作弁６５は、前記操作部６３に設置される。上下動操作弁６５は左右に起倒されるように操作される。配管はエアコンプレッサ６７から上下動操作弁６５を介在させて左側エアシリンダ４０と右側エアシリンダ４１とに連結される（図示省略）。この配管は上下動操作弁６５を左側に倒すと左側エアシリンダ４０のピストンロッド４２は下降し、右側エアシリンダ４１のピストンロッド４２は上昇するように連結され、反対に上下動操作弁６５を右側に倒すと左側エアシリンダ４０のピストンロッド４２は上昇し、右側エアシリンダ４１のピストンロッド４２は下降するように連結される。
【００５９】
制止部操作弁６６はエア流路の切り替えを行うことによって制止部用エアシリンダ５４のピストンロッド４２の前進、後退の方向切り替えを行うものである。図５に示すように、制止部操作弁６６は前記操作部６３に設置される。制止部操作弁６６は左右に起倒されるように操作される。制止部用エアシリンダ５４の駆動はエアコンプレッサ６７により行われる。配管はエアコンプレッサ６７から制止部操作弁６６を介在させて制止部用エアシリンダ５４に連結される（図示省略）。この配管は制止部操作弁６６を左側に倒すと制止部用エアシリンダ５４のピストンロッド４２は前進し、反対に制止部操作弁６６を右側に倒すと制止部用エアシリンダ５４のピストンロッド４２は後退するように連結される。
【００６０】
次に吸引装置４について説明する。吸引装置４は吸引用ポンプ７０と回収槽７１とを有する（図１及び図９参照）。回収槽７１の容量は約１００リットルである。吸引用管７２の一端が前記漉き槽２０の吸引口２６を被嵌して着脱自在に連結され、該吸引用管７２の他端が回収槽７１に連結される。吸引用ポンプ７０は回収槽７１に連結される。吸引用ポンプ７０は回収槽７１内を吸引して回収槽７１内を負圧にする。吸引用ポンプ７０は第２支持部３１の後側に設置される。回収槽７１に回収された漉き用液は再度貯留槽１１に戻すようにしてもよい。
【００６１】
供給装置２の攪拌用モータ１３及び供給用ポンプ１６、漉き動作装置３のエアコンプレッサ６７、吸引装置４の吸引用ポンプ７０の作動、停止は配電部で操作される。図１６に漉き装置の結線図を示す。配電部には、攪拌用モータ１３、供給用ポンプ１６、エアコンプレッサ６７、吸引用ポンプ７０の各電源スイッチが設けられる。攪拌用モータ１３、供給用ポンプ１６、エアコンプレッサ６７、吸引用ポンプ７０の各電源スイッチは、それぞれ攪拌用モータ電源スイッチ１３ａ、供給用ポンプ電源スイッチ１６ａ、エアコンプレッサ電源スイッチ６７ａ、吸引用ポンプ電源スイッチ７０ａである。前記各スイッチを閉路させると攪拌用モータ１３、供給用ポンプ１６、エアコンプレッサ６７、吸引用ポンプ７０のそれぞれが作動し、前記各スイッチを開路させると停止する。配電部は第１支持部３０の前側に設置される（図示省略）。
【００６２】
（紙製書画等Ｐの修復）
次に上記説明した漉き装置１を用いて紙製書画等Ｐを修復する場合について説明する。まず漉き枠９０の中に金属製の網体９１、漉き簾９２、漉きシート状材９３、紙製書画等Ｐの順番に載置される（図１４参照）。次に漉き槽２０の漉き枠受け２５にも金属製の目の大きい網体９１ａが載置され（図示省略）、その上に前記漉き枠９０が載置される（図１５参照）。
【００６３】
前記漉き枠９０は木製の枠体であり、漉き槽２０内に収容されうる外観輪郭形状を有する。漉き枠９０の内側には漉き簾９２等を設置するための段部が形成される。漉き簾９２は葦（あし）等の植物の茎、合成樹脂製線材、金属製線材または竹や木を細く削った籤の多数を平行且つ密接状態に整列させて糸等で編んで一方向の可撓性と濾過機能を具備させた簾状体である。漉きシート状材９３は、絵絹（紗）に代表される生地またはこれと同等程度の柔軟性と通水性を具備したものである。漉き簾９２と漉きシート状材９３の間には、漉き用液の通過しやすさを調節するために、メッシュやガーゼ等のシートを載置してもよい。後述の紙漉きや表装を行なう場合も同様である。
【００６４】
前記漉き簾９２及び漉きシート状材９３は共に漉き枠９０の上面をすべて覆う大きさ及び形状であることが好ましい。また漉き枠９０が漉き槽２０の上面をすべて覆うものでない場合には、漉き槽２０と漉き枠９０との間に隙間が生じ、吸引手段で漉き枠９０及び漉き用液を吸引しても、隙間から空気と漉き用液が吸引される。そのため漉き槽２０と漉き枠９０との間を板状体やシート状部材９４等で閉塞させてこの隙間をなくすようにする（図１５参照）。
【００６５】
次に漉き用液は、修復対象紙が和紙の場合には楮（コウゾ）、三椏（ミツマタ）、雁皮（ガンピ）等に代表される皮繊維からなる和紙用原料または和紙製古紙原料の一方又は両方と、トロロアオイの粘液またはアロンペイポリー（東亞合成（株）登録商標）等の化学のりに代表される粘着材とが必要量混合され、ｐＨ6〜８程度としたイオン水に溶解されて調製される。
【００６６】
また、修復対象紙が洋紙の場合には楮、三椏等に代表される和紙用原料または木材パルプ、化学パルプ等に代表される洋紙用原料若しくはこれと古紙パルプ（ぼろパルプを含む）等の補助原料とトロロアオイの粘液またはアロンペイポリー（東亞合成（株）登録商標）等の化学のりに代表される必要量の粘着材とが混合され、ｐＨ6〜８程度としたイオン水に溶解されて調製される。
【００６７】
前記漉き用液は予め原料が混合され、混練されて調製されたものが貯留槽１１に供給される。貯留槽１１では、漉き用液が均一な状態を保つように攪拌される。
【００６８】
漉き枠９０へ漉き用液が供給される前から、吸引装置４により漉き枠９０及び漉き用液に対して吸引が行われる。吸引は吸引用ポンプ７０を作動させて行われる。吸引を開始すると紙製書画等Ｐが漉きシート状材９３及び漉き簾９２とともに漉き枠９０に密着するため、漉き槽２０へ漉き用液が供給される前から吸引を行うことにより、漉き用液の供給によって紙製書画等Ｐの位置のズレやめくれが生じないため好ましい。
【００６９】
漉き枠９０への漉き用液の供給は、供給手段１５を用いて行なわれる。図３に示すように、供給用管１７の先端に装着された流し込み用ノズル１８から供給してもよく、図４に示すように、流し込み容器８１を介して供給してもよい。
【００７０】
流し込み容器８１を介して漉き槽２０へ漉き用液を供給する場合は、漉き槽２０に載置された漉き枠９０の上方に流し込み容器８１を架設する。流し込み容器８１の各流出口８３には開閉部材８４が装着された状態とする。流し込み容器８１内の隔壁に区分けされた各部分に漉き用液を入れる。紙製書画等Ｐの大きさに応じて、隔壁に区分けされた部分の一部または全てに漉き用液を入れる。前記各開閉部材８４を連続して外すことにより、漉き枠９０上に漉き用液が静かに均一に供給される。
【００７１】
次に漉き槽２０を傾斜させる。漉き槽２０の左右方向の傾斜は、図１１に示すように、予め制止部材５１を受け部材５５に係合させて、前後方向の傾斜を制止させた状態で、左側エアシリンダ４０と右側エアシリンダ４１とを上昇または下降させて行われる。漉き槽２０の傾斜角度は左側エアシリンダ４０と右側エアシリンダ４１とのピストンロッド４２の上下量により変えることができる。漉き槽２０を傾斜させる速度を変える場合は、左側エアシリンダ４０及び右側エアシリンダ４１のスピードコントロールバルブを調節することにより行なう。
【００７２】
制止部材５１と受け部材５５とを係合させるには、制止部操作弁６６を右に倒す。図１１に示すように、制止部操作弁６６を右側に倒すと制止部用エアシリンダ５４のピストンロッド４２は後退する。ピストンロッド４２により梃部材５３が右に揺動されて、制止部材５１が受け部材５５の方向へ進み、制止部材５１は受け部材５５の凹部５６に係合される。制止支持台５０は上下動はされるが揺動はされないため、制止部材５１と受け部材５５とが係合された状態では、側縁部材と漉き槽２０とは揺動されず、漉き槽２０の前後方向の傾斜は制止される。
【００７３】
ここで、漉き槽２０が前後方向に若干傾斜された状態の場合には、受け部材５５と制止部材５１の凹部５６の位置とはズレている。しかし、制止部材５１が進んで先端が案内面５７に当接すれば（図８参照）、制止部材５１が凹部５６に案内され、それに従って漉き槽２０は前後の高さが同じになるように動く。前後の高さが同じになるとズレは是正されて制止部材５１は受け部材５５の凹部５６に係合される。制止部材５１と受け部材５５とが係合された状態では、漉き槽２０の前後方向の傾斜は制止される。
【００７４】
漉き槽２０を左に傾斜させる場合、すなわち漉き槽２０の左側を低くし、右側を高くさせる場合は、上下動操作弁６５を左に倒す。図１２に示すように、上下動操作弁６５を左側に倒すと左側エアシリンダ４０のピストンロッド４２は下降し、右側エアシリンダ４１のピストンロッド４２は上昇するため、漉き槽２０を左に傾斜させることができる。
【００７５】
また、漉き槽２０を右に傾斜させる場合、すなわち漉き槽２０の左側を高くし、右側を低くさせる場合は、上下動操作弁６５を右に倒す。上下動操作弁６５を右側に倒すと左側エアシリンダ４０のピストンロッド４２は上昇し、右側エアシリンダ４１のピストンロッド４２は下降するため、漉き槽２０を右に傾斜させることができる。
【００７６】
漉き槽２０を左または右に傾斜させる場合において、ピストンロッド４２を上昇及び下降させる量は上下動操作弁６５の操作によって無段階に変化させることができる。このため漉き槽２０の傾斜角度を微妙に変化させ、調節することができ、漉き槽２０を左または右に傾斜させて停止させることもできる。従って、漉き動作の技法を作業者の思い通りに容易に行なうことができる。
【００７７】
次に、漉き槽２０の前後方向への傾斜は、予め漉き槽２０の左側と右側の高さを同じ高さとした上で、制止部材５１とストッパ受け部とを離脱させ、漉き槽２０を手動で操作して前後方向に傾斜させる。図１０に示すように、制止部材５１と受け部材５５とが離脱されている状態においては、漉き槽２０は左支持軸４５と右支持軸４６とを中心軸として前後方向に傾斜させることができる。
【００７８】
制止部材５１と受け部材５５とを離脱させる場合は、制止部操作弁６６を左に倒す。図１０に示すように、制止部操作弁６６を左側に倒すと制止部用エアシリンダ５４のピストンロッド４２は前進する。ピストンロッド４２により梃部材５３が左に揺動されて、制止部材５１が受け部材５５の方向から戻され、制止部材５１と受け部材５５とが離脱される。制止部材５１と受け部材５５とが離脱された状態では、漉き槽２０の前後方向の傾斜は可能な状態とされる。
【００７９】
漉き槽２０を前に傾斜させる場合、すなわち、図１３に示すように、漉き槽２０の前枠部材２３を後枠部材２４より低くさせる場合は、把持部６４を持って下方向に押し下げる。漉き槽２０は左支持軸４５と右支持軸４６を中心軸として揺動し、漉き槽２０は前方向に傾斜される。
【００８０】
漉き槽２０を後に傾斜させる場合、すなわち、図１３に示すように、漉き槽２０の前枠部材２３を後枠部材２４より高くさせる場合は、把持部６４を持って上方向に持ち上げる。漉き槽２０は左支持軸４５と右支持軸４６を中心軸として揺動し、漉き槽２０は後方向に傾斜される。
【００８１】
漉き槽２０を前または後に傾斜させる場合は、把持部６４を持って上方向または下方向に手動で操作して行なうため、漉き槽２０の傾斜角度を微妙に変化させたり、傾斜させた状態で停止するなど操作が容易である。従って、漉き動作の技法を作業者の思い通りに容易に行なうことができる。
【００８２】
漉き槽２０を左前方向、左後方向、右前方向、右後方向の何れかに傾斜させる場合には、上述した左右方向の傾斜と前後方向の傾斜を組み合わせて行う。左前方向あるいは左後方向に傾斜させる場合には、まず上下動操作弁６５を左に倒して漉き槽２０を左方向に傾斜させる。この状態で制止部操作弁６６を左側に倒して制止部材５１とストッパ受け部とを離脱させる。把持部６４を持って下方向に押し下げると漉き槽２０は左前方向に傾斜される。把持部６４を持って上方向に持ち上げると漉き槽２０は左後方向に傾斜される。
【００８３】
漉き槽２０を右前方向あるいは右後方向に傾斜させる場合には、同様にまず上下動操作弁６５を右に倒して漉き槽２０を右方向に傾斜させる。この状態で制止部操作弁６６を左側に倒して制止部材５１とストッパ受け部とを離脱させる。把持部６４を持って下方向に押し下げると漉き槽２０は右前方向に傾斜される。把持部６４を持って上方向に持ち上げると漉き槽２０は右後方向に傾斜される。
【００８４】
漉き槽２０を斜めに傾斜させる場合においても、上下動操作弁６５の操作と、把持部６４の操作により、漉き槽２０の傾斜角度を任意に変化させたり、漉き槽２０を斜めに傾斜させて停止させることができる。従って、漉き動作の技法を作業者の思い通りに容易に行なうことができる。
【００８５】
上述のように漉き槽２０を傾斜させると漉き枠９０上を漉き用液が均一に流れる。吸引装置４が漉き枠９０と漉き用液とに対して吸引作用を及ぼしており、漉き用液は紙製書画等Ｐの毀損部分を強制的に通過される。漉き用液中の紙用繊維が毀損部分に残されて充填される。毀損部分に紙用繊維が充填された紙製書画等Ｐは、従来の漉き填め手段と同様の手順によって漉き枠９０から外され、乾燥工程を経て修復が完了する。
【００８６】
（紙漉き）
次に漉き装置１を用いて紙漉きを行う場合について説明する。まず漉き枠９０の中に金属製の網体９１、漉き簾９２、漉きシート状材９３の順番に載置される。次に漉き槽２０の漉き枠受け２５にも金属製の目の大きい網体９１ａが載置され、その上に前記漉き枠９０が載置される。前記漉き枠９０、網体９１ａ、網体９１、漉き簾９２、漉きシート状材９３は紙製書画等Ｐの修復に用いたものと同様である。
【００８７】
前記漉き簾９２、漉きシート状材９３は共に漉き枠９０の上面をすべて覆う大きさ及び形状であることが好ましい。また漉き枠９０が漉き槽２０の上面をすべて覆うものでない場合には、漉き槽２０と漉き枠９０との間に隙間が生じ、吸引手段で漉き枠９０及び漉き用液を吸引しても、隙間から空気と漉き用液が吸引される。そのため漉き槽２０と漉き枠９０との間を板状体やシート状部材９４等で閉塞させてこの隙間をなくすようにする。
【００８８】
次に漉き用液は、漉き紙が和紙の場合には、和紙製の紙製書画等Ｐの修復に用いる漉き用液と同様の液を用いることができ、漉き紙が洋紙の場合には、洋紙製の紙製書画等Ｐの修復に用いる漉き用液と同様の液を用いることができる。
【００８９】
漉き槽２０への漉き用液の供給、吸引及び漉き槽２０の傾斜の各操作は、上記紙製書画等Ｐの修復と同様の操作により行われる。紙漉きにおいても、漉き槽２０を傾斜させると漉き枠９０上を漉き用液が均一に流れる。吸引装置４が漉き枠９０と漉き用液とに対して吸引作用を及ぼしており、漉き用液は漉き枠９０を強制的に通過させられて漉き用液中の紙用繊維が漉きシート状材９３の上に漉かれる。漉きシート状材９３に漉かれた紙用繊維は、従来の紙漉きと同様の手順によって漉き枠９０から外され、乾燥工程を経て紙漉きが完了する。
【００９０】
（表装）
次に漉き装置１を用いて紙製書画等Ｐに表装Ｑを施す場合について説明する（図１７参照。）。紙製書画等Ｐに表装Ｑを施す手段は、前記紙漉きの場合と略同様の手段である。まず漉き枠９０の中に金属製の網体９１、漉き簾９２、漉きシート状材９３の順番に載置され、漉きシート状材９３の上に紙製書画等Ｐが載置される。紙製書画等Ｐは表面を上にして載置される。次に漉き槽２０の漉き枠受け２５にも金属製の目の大きい網体９１ａが載置され、その上に漉き枠９０が載置される。前記漉き枠９０、網体９１ａ、網体９１、漉き簾９２、漉きシート状材９３は紙製書画等Ｐの修復に用いたものと同様である。
【００９１】
前記漉き簾９２、漉きシート状材９３は共に漉き枠９０の上面をすべて覆う大きさ及び形状であることが好ましい。また漉き枠９０が漉き槽２０の上面をすべて覆うものでない場合には、漉き槽２０と漉き枠９０との間に隙間が生じ、吸引手段で漉き枠９０及び漉き用液を吸引しても、隙間から空気と漉き用液が吸引される。そのため漉き槽２０と漉き枠９０との間を板状体やシート状部材９４等で閉塞させてこの隙間をなくすようにする。
【００９２】
次に漉き用液は、表装Ｑを和紙で施す場合には、和紙製の紙製書画等Ｐの修復に用いる漉き用液と同様の液を用いることができ、表装Ｑを洋紙で施す場合には、洋紙製の紙製書画等Ｐの修復に用いる漉き用液と同様の液を用いることができる。
【００９３】
漉き槽２０への漉き用液の供給、吸引及び漉き槽２０の傾斜の各操作は、上記紙製書画等Ｐの修復と同様の操作により行われる。表装Ｑを施す場合においても、漉き槽２０を傾斜させると漉き枠９０上を漉き用液が均一に流れる。吸引装置４が漉き枠９０と漉き用液とに対して吸引作用を及ぼしており、漉き用液は漉き枠９０を強制的に通過させられて漉き用液中の紙用繊維が漉きシート状材９３の上に漉かれる。漉き用液は紙製書画等Ｐの上を流れ去るため、紙製書画等Ｐの上には紙用繊維は漉かれない。しかし、紙製書画等Ｐの周囲に漉かれる紙用繊維は、紙製書画等Ｐの縁部と一体化されるように漉かれる。漉きシート状材９３に漉かれた紙用繊維と載置された紙製書画等Ｐとは、従来の紙漉きと同様の手順によって漉き枠９０から外され、乾燥工程で乾燥される。紙製書画等Ｐの周囲に形成された紙を適当な幅にカットすることにより紙製書画等Ｐに表装Ｑを施す工程が完了する。
【００９４】
この実施例では以下の効果を有する。
【００９５】
漉き用液は予め原料が混合され、混練されて調製されたものが貯留槽１１に供給されるようにしたため、紙繊維やイオン水を貯留するためのタンク、攪拌槽、仕上混練槽等が不要である。従って、漉き装置１の構造を簡素化、小型化、軽量化することができ、漉き装置１の運搬及び設置が容易にできる。
【００９６】
漉き槽２０を左右に傾斜させる場合は、左側エアシリンダ４０と右側エアシリンダ４１で行い、漉き槽２０を前後に傾斜させる場合は、左支持軸４５と右支持軸４６とを中心軸として手動で行うこととしたため、漉き槽２０を傾斜させるための駆動装置が少なく、構造を簡易なものすることができる。
【００９７】
供給装置２、漉き動作装置３、吸引装置４はそれぞれ独立した装置であり、相互に着脱自在であるため分離させて運搬でき、組み立ても容易である。従って、紙製書画等Ｐが所在する場所に漉き装置１を運搬し、その場所で組み立てることが容易である。
【００９８】
第１支持部３０及び第２支持部３１と支持部連結体３２とは着脱自在に連結され、第１支持部３０及び第２支持部３１と漉き槽２０とは左側縁部材６０と右側縁部材６１とを介在させて着脱自在に連結される。従って、漉き装置１は第１支持部３０、第２支持部３１、漉き槽２０、支持部連結体３２に分解することが容易であり、運搬及び組み立ても容易である。このため漉き装置１を紙製書画等Ｐが所在する場所に貸し出す場合には、分解して運搬し、その場所で組み立てて設置することができる。
【００９９】
側縁部材は漉き槽２０の側部と軸受けとの間に介在されており、側縁部材と漉き槽２０の側部とは着脱自在に連結される。従って、漉き槽２０は上下動手段と直接連結されていない。また、制止部は制止支持台５０と左側縁部材６０との間に設けられる。従って、制止部は漉き槽２０に直接設けられていない。よって、上下動手段及び制止部と漉き槽２０とは容易に分解され、また容易に組み立てることができる。これにより、漉き装置１を各地に貸し出す場合などに、漉き装置１を容易に分解、運搬、組み立てすることができる。
【０１００】
左側縁部材６０及び右側縁部材６１と漉き槽２０とは、係止孔６２と係止爪２７とを係止させて着脱自在に連結されている。係止孔６２と係止爪２７の形状を共通化すれば、異なる大きさの漉き槽２０に取り換えることができる。従って、漉き槽２０の大きさを容易に変更することができ、修復対象となる紙製書画等Ｐや漉き紙の大きさに合わせて、適切な大きさの漉き槽２０に交換することができる。また、第１支持部３０及び第２支持部３１と支持部連結体３２とは、連結用孔３３と連結用爪３４とで着脱自在に連結されているため、漉き槽２０の大きさに対応させた支持部連結体３２に取り換えることも容易である。
【０１０１】
漉き槽２０は前後の重量の釣り合いが取られた位置で支持されている。漉き槽２０は大型であるが前後の重量の釣り合いが取られているため、把持部６４を軽い操作力で操作して漉き槽２０を前後に傾斜させることができる。
【０１０２】
漉き槽２０を傾斜させる場合、上下動操作弁６５の操作と、把持部６４の操作により、漉き槽２０の傾斜角度を任意に変化させたり、漉き槽２０を傾斜させて停止させることができる。従って、漉き動作の技法を作業者の思い通りに容易に行なうことができる。特に、把持部６４を軽い操作力で操作して漉き槽２０を前後に傾斜させることができるため、傾斜角度の調節や漉き槽２０を止める時間などを自由に操作することができ手動の操作を用いて手作業に近い微妙な技法を用いることができる。このため紙製書画等Ｐの修復や和紙あるいは洋紙の漉きにおいて、手作業に近い微妙な技法を用いることができる。また、通常の紙漉きと異なる技法を用いることもできるため、修復された紙製書画等Ｐの他、新規に創作された紙製書画等や布製の書画等その他の薄手の物品に表装Ｑを施すことができる。
【０１０３】
漉き装置１を用いて紙製書画等Ｐに表装Ｑを施すと、紙製書画等Ｐと一体化された表装Ｑを施すことができる。従って紙製書画等Ｐと表装Ｑとの間に段差が形成されず、外観体裁の良好な表装Ｑを施すことができる。また、漉き装置１を用いて迅速に表装Ｑを施すことができる。
【０１０４】
漉き装置１を貸し出した場合は、修復や紙漉きについて熟練していない者が作業を行なう場合がある。そのため、修復対象となる紙製書画等Ｐに応じた適切な漉き用液が使用されないおそれがある。しかし、本実施例では漉き用液は予め原料が混合され、混練されて調製されたものが貯留槽１１に供給される。従って、作業者が漉き用液を調製する必要がなく、修復対象となる紙製書画等Ｐの紙質、毀損部分の状況などに応じた適切な漉き用液が使用される。
【０１０５】
上下動操作弁６５を左側に倒すと漉き槽２０は左方向に傾斜され、右側に倒すと漉き槽２０は右方向に傾斜される。上下動操作弁６５を倒す方向と、漉き槽２０が傾斜する方向とを一致させている。漉き槽２０を左右方向に傾斜させようとする作業者の感覚と、上下動操作弁６５の操作感覚が一致するため、操作が分かりやすく、操作性が良好である。
【０１０６】
制止部操作弁６６を右に倒すと制止部材５１と受け部材５５とが係合され、制止部操作弁６６を左に倒すと制止部材５１と受け部材５５とが離脱される。制止部操作弁６６を倒す方向と制止部材５１の作動する方向とを一致させている。このため操作が分かりやすく、操作性が良好である。
【０１０７】
上下動操作弁６５、制止部操作弁６６、把持部６４は操作部６３に集中させて設けられており、作業者は漉き槽２０の左右方向の傾斜、前後方向の傾斜を操作部６３の操作だけで行うことができる。また、配電部にはエアコンプレッサ６７、供給用ポンプ１６、吸引用ポンプ７０の電源スイッチが設けられており、作業者はエアコンプレッサ６７、供給用ポンプ１６、吸引用ポンプ７０の作動及び停止を配電部の操作だけで行うことができる。従って、操作性が良好であるとともに、漉き槽２０の中の漉き用液の量、紙製書画等Ｐの修復状態、漉き紙の状況などを確認しながら作業を進めることができる。また、操作部６３は左側縁部材６０に設けられ、配電部は第１支持部３０の前側に設けられており、操作部６３と配電部とが近接して設けられるため、漉き装置１の操作性が良好である。
【０１０８】
左側エアシリンダ４０と右側エアシリンダ４１の下に、高さ調節手段としてジャッキ４３を介在させたことにより、漉き槽２０が水平になるように漉き装置１を設置することができる。例えば、民家の土間のように平坦に整地されていない場所では漉き装置１が傾くが、設置される場所の傾斜に関わらず、ジャッキ４３を調節して漉き槽２０が水平になるように漉き設置１を設置することができる。また、漉き槽２０の高さを作業者の身長に合わせた高さとすることもでき、作業性が向上する。
【０１０９】
流し込み容器８１は、漉き枠９０上の紙製書画等Ｐあるいは漉きシート状材９３に接近させて漉き槽２０に架設され、紙製書画等Ｐあるいは漉きシート状材９３から流出口８３までの間隔は１０ｍｍ乃至５０ｍｍ程度とされる。そのため、漉き用液の勢いを弱めて漉き用液を供給させることができる。また、開閉部材８４により流出口８３を開閉させることができるため、漉き用液の供給量を容易に微調節することができる。また、流し込み容器８１の内部が区分けされ、区分けされた部分毎に流出口８３が形成されているため、必要な区分け部分にだけ漉き用液を入れて、漉き枠９０に漉き用液を供給することができる。
【０１１０】
なお、実施例は上記に限定されるものではなく、例えば以下のようにしてもよい。
【０１１１】
本実施例では上下動手段を右側と左側にそれぞれ用いたが、左右のいずれかだけとしてもよい。例えば、漉き槽２０の左側を高さ固定の軸受けに連結させ、漉き槽２０の右側を上下動手段に連結された軸受けに連結させる。左側の高さを基準として、右側の上下動手段の高さを高くさせれば、漉き槽２０を左に傾斜させることができ、左側の高さを基準として、右側の上下動手段の高さを低くさせれば、漉き槽２０を右に傾斜させることができる。この場合、漉き装置の構造を簡素化、小型化、軽量化して運搬及び設置を容易にすることができる。
【０１１２】
また、本実施例では、上下動手段は漉き槽２０を左右方向に傾斜させるために用いたが、前後方向に傾斜させるために上下動手段を用いてもよい。また、上下動手段は漉き槽２０を左右方向に傾斜させるためだけでなく、前後方向に傾斜させるために上下動手段を用いてもよい。例えば、漉き槽２０の左側を支持する左側縁部材６０の前側に上下動手段を連結させる。上下動手段を高くさせると漉き槽２０の前が後より高くなり、漉き槽２０を後に傾斜させることができる。反対に、上下動手段を低くさせると漉き槽２０の前が後より低くなり、漉き槽２０を前に傾斜させることができる。
【０１１３】
上下動手段としてエアシリンダに代えて、油圧等の流体圧シリンダやアクチュエータのほか、漉き槽２０の側部を一定のストローク内で任意に上昇、下降させることのできる他の上下動手段を用いてもよい。この場合、漉き槽２０を傾斜させることができる。
【０１１４】
制止部材５１の形状は円柱形状に限定されず、受け部材５５の形状は円形に限定されない。制止部材５１の形状は鉤形状等でもよく、受け部材５５の形状は制止部材５１が係合して漉き槽２０の傾斜を制止できる形状であればよい。また、制止部材５１と受け部材５５との係合は制止部材５１が軸方向に進退して係合離脱するものに限定されず、例えば制止部材５１を支点周りに揺動自在に支持し、制止部材５１の揺動によって係合離脱するものでもよい。
【０１１５】
側縁部材は上記実施例の形状に限定されず、漉き槽２０の側部と軸受けとの間に介在されて、漉き槽２０と軸受けとを連結できるものであればよい。側縁部材と漉き槽２０の側部との連結手段は係止爪２７及び係止孔６２に限定されず、容易に着脱される連結手段であればよい。
【０１１６】
支持部連結体３２は上記実施例の形状に限定されず、第１支持部３０と第２支持部３１とを連結できるものであればよい。第１支持部３０及び第２支持部３１との連結手段は連結用孔３３及び連結用爪３４に限定されず、容易に着脱される連結手段であればよい。
【０１１７】
前記実施例から把握される請求項記載以外の発明について、以下にその効果とともに記載する。
【０１１８】
請求項１から６のいずれか１項に記載の発明において、前記漉き槽２０は軸受けとしての左支持軸４５と右支持軸４６を中心として前後の重量の釣り合いが取られる。この場合、把持部６４を軽い操作力で操作して漉き槽２０を前後に傾斜させることができる。また、漉き槽２０を僅かに前後に傾斜させるなどの微調整も容易に行なうことができる。
【０１１９】
請求項１から６のいずれか１項に記載の発明において、受け部材５５には制止部材５１が嵌入される凹部５６と、制止部材５１を凹部５６に案内する案内面５７とが形成される。この場合、漉き槽２０が前後方向に傾斜されていて、受け部材５５と制止部材５１の凹部５６の位置とはズレている場合であっても、制止部材５１の先端が案内面５７に当接すれば、制止部材５１が凹部５６に案内され、それに従って漉き槽２０は前後の高さが同じになるように動く。前後の高さが同じになるとズレは是正されて制止部材５１は受け部材５５の凹部５６に係合される。制止部材５１と受け部材５５とが係合された状態では、漉き槽２０の前後方向の傾斜は制止される。
【０１２０】
請求項４から６のいずれか１項に記載の発明において、第１支持部３０、第２支持部３１及び支持部連結体３２とを有する。第１支持部３０と第２支持部３１には連結用孔３３がそれぞれ形成される。支持部連結体３２には前記連結用孔３３に係合する連結用爪３４が形成される。前記連結用孔３３と連結用爪３４とが係合されて第１支持部３０及び第２支持部３１と支持部連結体３２とが着脱自在に連結される。この場合、支持部連結体３２は、第１支持部３０と第２支持部３１との間隔を一定に保持する。また、漉き装置１を分解することが容易であり、運搬及び組み立ても容易である。このため漉き装置１を紙製書画等Ｐが所在する場所に貸し出す場合には、分解して運搬し、その場所で組み立てて設置することができる。
【０１２１】
請求項２から６のいずれか１項に記載の発明において、制止部材５１と受け部材５５との係合及び離脱を操作する制止部操作弁６６と、上下動手段を操作する上下動操作弁６５と、漉き槽２０の前後方向の傾斜を操作する把持部６４とを備え、前記制止部操作弁６６、上下動操作弁６５、把持部６４が相互に近接して操作部６３に配設される。この場合、漉き槽２０の左右方向の傾斜、前後方向の傾斜を操作部６３の操作だけで行うことができる。従って、操作性が良好であるとともに、漉き槽２０の中の漉き用液の量、紙製書画等Ｐの修復状態、漉き紙の状況などを確認しながら作業を進めることができる。
【０１２２】
請求項１から６のいずれか１項に記載の発明において、左側エアシリンダ４０と右側エアシリンダ４１の下に、高さ調節手段を介在させる。この場合、設置される場所の傾斜に関わらず、ジャッキ４３を調節して漉き槽２０が水平になるように漉き設置１を設置することができる。また、漉き槽２０の高さを作業者の身長に合わせた高さとすることもでき、作業性が向上する。
【図面の簡単な説明】
【０１２３】
【図１】漉き装置１の模式図である。
【図２】供給装置２の一部を省略した斜視図である。
【図３】流し込み用ノズル１８の斜視図である。
【図４】漉き槽２０と流し込み容器８１の一部を省略した斜視図である。
【図５】漉き動作装置３の一部を省略した斜視図である。
【図６】側縁部材としての左側縁部材６０と漉き槽２０の左枠部材２１の一部を省略した拡大斜視図である。
【図７】第１支持部３０と支持部連結体３２の一部を省略した拡大斜視図である。
【図８】側縁部材としての左側縁部材６０と制止支持台５０の一部を省略した拡大斜視図である。
【図９】吸引装置４の一部を省略した斜視図である。
【図１０】側縁部材としての左側縁部材６０と制止支持台５０の一部を省略した拡大平面図である。
【図１１】側縁部材としての左側縁部材６０と制止支持台５０の一部を省略した拡大平面図である。
【図１２】漉き動作装置３の一部を省略した前面図である。
【図１３】漉き動作装置３の一部を省略した左側面図である。
【図１４】漉き枠９０の斜視図である。
【図１５】漉き槽２０に漉き枠９０が載置された状態の一部を省略した斜視図である。
【図１６】漉き装置の結線図である。
【図１７】掛物Ｒの正面簡略図である。
【符号の説明】
【０１２４】
１      漉き装置
２      供給装置
３      漉き動作装置
４      吸引装置
１１    貯留槽
１２    攪拌部
１３    攪拌用モータ
１３ａ  攪拌用モータ電源スイッチ
１４    羽根
１５    供給手段
１６    供給用ポンプ
１６ａ  供給用ポンプ電源スイッチ
１７    供給用管
１８    流し込み用ノズル
１９    流し込み用孔
２０    漉き槽
２１    左枠部材
２２    右枠部材
２３    前枠部材
２４    後枠部材
２５    漉き枠受け
２６    吸引口
２７    係止爪
３０    第１支持部
３１    第２支持部
３２    支持部連結体
３３    連結用孔
３４    連結用爪
４０    上下動手段としての左側エアシリンダ
４１    上下動手段としての右側エアシリンダ
４２    ピストンロッド
４３    ジャッキ
４４    軸受けとしてのボール軸受け
４５    左支持軸
４６    右支持軸
５０    制止支持台
５１    制止部材
５２    案内部材
５３    梃部材
５４    ストッパ用駆動装置としての制止部用エアシリンダ
５５    受け部材
５６    凹部
５７    案内面
６０    側縁部材としての左側縁部材
６１    側縁部材としての右側縁部材
６２    係止孔
６３    操作部
６４    把持部
６５    上下動操作弁
６６    制止部操作弁
６７    エアコンプレッサ
６７ａ  エアコンプレッサ電源スイッチ
７０    吸引用ポンプ
７０ａ  吸引用ポンプ電源スイッチ
７１    回収槽
７２    吸引用管
８１    流し込み容器
８２    隔壁
８３    流出口
８４    開閉部材
９０    漉き枠
９１    網体
９１ａ  網体
９２    漉き簾
９３    漉きシート状材
９４    シート状部材
Ｐ      紙製書画等
Ｑ      表装
Ｒ      掛物
【図１】
2005097794.tif 000003
【図２】
2005097794.tif 000004
【図３】
2005097794.tif 000005
【図４】
2005097794.tif 000006
【図５】
2005097794.tif 000007
【図６】
2005097794.tif 000008
【図７】
2005097794.tif 000009
【図８】
2005097794.tif 000010
【図９】
2005097794.tif 000011
【図１０】
2005097794.tif 000012
【図１１】
2005097794.tif 000013
【図１２】
2005097794.tif 000014
【図１３】
2005097794.tif 000015
【図１４】
2005097794.tif 000016
【図１５】
2005097794.tif 000017
【図１６】
2005097794.tif 000018
【図１７】
2005097794.tif 000019